(57)【要約】本発明は、１つの物理モバイルスイッチングセンタ（ＭＳＣ）でカバーされた複数のサブネット間の通信を実現するための方法である。前記方法は、複数の論理ＭＳＣすなわち複数の仮想ＭＳＣに１つの物理ＭＳＣを配置するとともに、各仮想ＭＳＣに仮想ＭＳＣ番号を割り当るとともに、仮想ＭＳＣでカバーされた位置登録エリアと各仮想ＭＳＣの仮想ＭＳＣ番号との間の対応関係を設定するステップステップを有している。前記方法は、通信中、端末位置が前記仮想ＭＳＣ番号によって送信されるので、物理ＭＳＣでカバーされた別個のサブネットに位置する端末を差別化することが可能であり、したがって、サブネット間の端末のローミングおよびハンドオーバが可能となり、さらにまた、ローミング制御がＭＳＣリストおよびＶＬＲリストを介して実施できる。
2008503118.tif 000002
【特許請求の範囲】
【請求項１】
１つの物理モバイルスイッチングセンタ（ＭＳＣ）でカバーされた複数のサブネット間の通信を実現するための方法であって、
複数の仮想ＭＳＣに１つの物理ＭＳＣを配置(mapping)するとともに、各仮想ＭＳＣに仮想ＭＳＣ番号を割り当るとともに、前記仮想ＭＳＣでカバーされたサブネットと各仮想ＭＳＣの前記仮想ＭＳＣ番号との間の対応関係を設定するステップと、
複数のサブネット間で通信を実行するために通信中に、前記仮想ＭＳＣ番号と共に端末の位置情報を送信するステップとを有することを特徴とする方法。
【請求項２】
前記仮想ＭＳＣ番号と共に端末の位置情報を送信する前記ステップの通信手順は、
端末が移動した後に、前記移動端末にローミング番号を割り当てるステップと、
ホーム・ロケーション・レジスタ（ＨＬＲ）が現在所属端末の前記仮想ＭＳＣに提供ローミング番号要求を送信するステップであって、前記要求の中に仮想ＭＳＣ番号も含めて送信するステップと、
前記現在所属端末のＭＳＣが、前記要求を受信した後に、前記仮想ＭＳＣ番号にしたがって前記端末にローミング番号を割り当てるとともに、提供ローミング番号応答を前記ＨＬＲに送信するステップとを有する請求項１に記載の方法。
【請求項３】
前記仮想ＭＳＣ番号と共に端末の位置情報を送信する前記ステップの通信手順は、
ハンドオーバ中にハンドオーバ番号を前記端末に割り当てるステップと、
前記端末の初期ＭＳＣが準備ハンドオーバ要求を宛先仮想ＭＳＣに送信するステップと、
前記宛先仮想ＭＳＣが前記宛先セルの情報にしたがって対応する基地局制御装置（ＢＳＣ）にハンドオーバ要求を送信するステップと、
前記ＢＳＣがハンドオーバ応答を前記宛先仮想ＭＳＣに送信するステップと、
前記宛先仮想ＭＳＣが、前記宛先仮想ＭＳＣの仮想ＭＳＣ番号を取得するとともに、前記宛先仮想ＭＳＣの仮想ＭＳＣ番号を取得することで電話局番としてハンドオーバ番号を割り当てるとともに、準備ハンドオーバ応答を前記初期ＭＳＣに送信するステップとを有し、
前記準備ハンドオーバ要求は、前記ハンドオーバした端末の前記宛先仮想ＭＳＣの情報と宛先セルの情報とを伴うものである請求項１に記載の方法。
【請求項４】
前記移動端末の位置更新手順中において、前記仮想ＭＳＣ番号と共に端末の位置情報を送信する前記ステップの通信手順は、
前記端末が位置更新要求を現在訪問仮想ＭＳＣに送信するステップと、
前記端末によって現在訪問されている前記仮想ＭＳＣが、仮想ＭＳＣ番号を位置更新要求に一緒にして、該位置更新要求を前記端末のＨＬＲに送信するステップと、
前記端末のＨＬＲが、前記端末に訪問された前記初期仮想ＭＳＣに位置削除要求を送信するステップと、
前記端末に訪問された前記初期仮想ＭＳＣが、前記位置削除要求を受信した後に、位置削除応答を前記ＨＬＲに送信するステップと、
前記ＨＬＲが、前記位置削除応答を受信した後に、前記端末によって現在訪問されている前記仮想ＭＳＣに、端末データ挿入要求を送信するステップと、
前記端末によって現在訪問されている前記仮想ＭＳＣが、前記端末データ挿入要求を受信した後に、前記端末データを挿入するとともに、端末データ挿入応答を前記ＨＬＲに送信するステップと、
前記ＨＬＲが、前記端末によって現在訪問されている前記仮想ＭＳＣに、位置更新応答を送信するステップと、
前記端末によって現在訪問されている前記仮想ＭＳＣが位置更新応答を前記端末に送信するステップとをさらに有する請求項１に記載の方法。
【請求項５】
前記端末がインテリジェント・サービスにおいて発呼者であるとき、前記仮想ＭＳＣ番号と共に端末の位置情報を送信する前記ステップの通信手順は、
前記発呼者が呼を開始するとともに、サービス交換ポイント（ＳＳＰ）が前記端末によって現在訪問されている前記仮想ＭＳＣの番号をサービス制御ポイント（ＳＣＰ）に報告するステップを有する請求項１に記載の方法。
【請求項６】
前記端末がインテリジェント・サービスにおいて被呼者であるとき、前記仮想ＭＳＣ番号と共に端末の位置情報を送信する前記ステップの通信手順は、
前記端末のホーム仮想ＭＳＣがルーティング情報要求を前記ＨＬＲに送信するステップと、
前記ＨＬＲが、前記端末によって現在訪問されている前記仮想ＭＳＣの番号を取得するとともに、前記端末によって現在訪問されている前記仮想ＭＳＣの番号と一緒に、ルーティング情報応答を前記端末に送信するステップと、
前記端末の前記ホーム仮想ＭＳＣが前記被呼者の前記仮想ＭＳＣの番号を前記ＳＣＰに報告するステップとを有する請求項１に記載の方法。
【請求項７】
複数の論理仮想ＭＳＣに１つの物理ＭＳＣを配置するとともに、仮想ＭＳＣでカバーされた位置登録エリアと各仮想ＭＳＣの仮想ＭＳＣ番号との間の対応関係を設定する前記ステップは、
１つの物理訪問(Visited)ロケーション・レジスタ（ＶＬＲ）を複数の仮想ＶＬＲに配置するとともに、仮想ＶＬＲ番号を各仮想ＶＬＲに割り当てるとともに、各仮想ＭＳＣが一つの仮想ＶＬＲに対応するように、システムにおける前記仮想ＭＳＣ番号と仮想ＶＬＲ番号との間の対応関係を設定するステップを有し、
前記仮想ＭＳＣ番号と共に端末の位置情報を送信する前記ステップは、通信中に、前記仮想ＶＬＲ番号にしたがって前記端末の位置情報を送信するステップをさらに有する請求項１に記載の方法。
【請求項８】
前記端末が前記インテリジェント・サービスにおいて被呼者であるとき、前記仮想ＭＳＣ番号と共に端末の位置情報を送信する前記ステップは、
前記端末のホーム仮想ＭＳＣ/仮想ＶＬＲがルーティング情報要求を前記ＨＬＲに送信するステップと、
前記ＨＬＲが、前記端末によって現在訪問されている前記仮想ＭＳＣの番号を取得するとともに、前記端末によって現在訪問されている前記仮想ＭＳＣの番号と前記仮想ＶＬＲ番号とをルーティング情報応答に一緒にして、該ルーティング情報応答を前記端末に送信するステップと、
前記端末のホーム仮想ＭＳＣ/ＶＬＲが前記被呼者の前記仮想ＭＳＣと前記仮想ＶＬＲ番号とをサービス制御ポイント（ＳＣＰ）に報告するステップとを有する請求項７に記載の方法。
【請求項９】
前記移動端末の位置更新手順の間、前記仮想ＭＳＣ番号と共に前記端末の位置情報を送信する前記ステップは、
前記端末が位置更新要求を前記現在訪問仮想ＭＳＣ/ＶＬＲに送信するステップと、
前記端末によって現在訪問されている前記ＭＳＣ/ＶＬＲが、前記仮想ＭＳＣ番号と前記仮想ＶＬＲ番号とを前記位置更新要求に一緒にして、該位置更新要求を前記端末のＨＬＲに送信するステップと、
前記端末のＨＬＲが、前記端末に訪問された前記初期仮想ＭＳＣ/ＶＬＲに位置削除要求を送信するステップと、
前記端末に訪問された前記初期仮想ＭＳＣ/ＶＬＲが、前記位置削除要求を受信した後に、位置削除応答を前記ＨＬＲに送信するステップと、
前記ＨＬＲが、前記位置削除応答を受信した後に、前記端末によって現在訪問されている前記仮想ＭＳＣ/ＶＬＲに、端末データ要求を挿入するステップと、
前記端末によって現在訪問されている前記仮想ＭＳＣ/ＶＬＲが、前記端末データ挿入要求を受信した後に、前記端末データを挿入するとともに、端末データ挿入応答を前記ＨＬＲに送信するステップと、
前記ＨＬＲが、前記端末によって現在訪問されている前記仮想ＭＳＣ/ＶＬＲに、位置更新応答を送信するステップと、
前記端末によって現在訪問されている前記仮想ＭＳＣ/ＶＬＲが位置更新応答を前記端末に送信するステップとを有する請求項７に記載の方法。
【請求項１０】
前記位置更新要求を前記端末のＶＬＲに送信した後に、前記端末のために訪問競合タイマを起動するステップをさらに有するとともに、
前記初期仮想ＭＳＣが前記位置削除要求を受信した後に、前記訪問競合タイマがオーバータイムであるか否か判断し、オーバータイムである場合、前記端末に対応する前記ユーザデータを削除し、次に、前記位置削除応答を前記ＶＬＲに送信する前記ステップを実行し、オーバータイムでない場合、直接、前記位置削除応答を前記ＶＬＲに送信する前記ステップを実行するステップをさらに有する請求項４または９に記載の方法。
【請求項１１】
前記端末のＨＬＲに送信される前記位置更新要求は、
前記ＨＬＲが前記位置更新要求を受信した後に前記位置更新応答を送信する前記ステップを直接実行する：サービスネットワークエンティティにおけるスーパーチャージサポートを有する請求項４または９に記載の方法。
【請求項１２】
複数の論理ＭＳＣに１つの物理ＭＳＣを配置するとともに、前記仮想ＭＳＣでカバーされた位置登録エリアと各仮想ＭＳＣの仮想ＭＳＣ番号との間の対応関係を設定する前記ステップは、
前記端末のＶＬＲリストの中で前記端末によって訪問されることを許可された前記エリアに対応する前記ＶＬＲ番号を設定するステップと、
前記仮想ＭＳＣ番号と共に前記端末の位置情報を送信する前記ステップにおいて、前記仮想ＶＬＲ番号にしたがって前記端末の位置情報を送信している間に、前記仮想ＶＬＲ番号が前記端末のＶＬＲリストにないと判断された場合、前記端末のサービスを制限するステップとをさらに有する請求項７に記載の方法。
【発明の詳細な説明】
【技術分野】
【０００１】
本発明は、移動通信技術に関するものであり、特に、１つの物理モバイルスイッチングセンタ（ＭＳＣ）でカバーされた複数のサブネット間の通信を実現するための方法に関するものである。
【背景技術】
【０００２】
移動通信システムのネットワークでは、ローカルエリアネットワークは、分割されているとともに、一般に、地理的位置および端末数にしたがって設定されている。まばらな人口のエリアでは、近距離(closer)アクセスおよび広いサービスエリアとするために、いくつかの小さいサブネットをカバーする大きなローカルエリアネットワークを持つことが適切である。大きいローカルエリアネットワークとは、１つの物理ＭＳＣでカバーされたネットワークをいう。
【０００３】
大きいローカルエリアネットワークは、基地局（ＢＳ）と、基地局制御装置（ＢＳＣ）と、ＭＳＣと、訪問ロケーション・レジスタ（ＶＬＲ）と、ホームロケーションレジスタ（ＨＬＲ）とを有する。前記ＢＳ（ＢＴＳ/ノードＢ）は、無線信号を送受信するとともに、特定エリアにサービスし、さらにそのエリア内の端末と通信する。前記ＢＴＳ/ノードＢは、無線通信資源を管理するとともに基地局を制御する基地局制御装置/無線網制御装置（ＢＳＣ/ＲＮＣ）に接続されている。ＢＳＣは、メディア・ゲートウェイ（ＭＧＷ）を介してまたは直接に、前記ＭＳＣに接続されている。ＭＳＣは、移動呼手順の制御に主に使用される。ＶＬＲは端末の一時的な情報を記憶するデータベースであるとともに、前記情報はＭＳＣが端末を参観するときに必要とされる。ＨＬＲは、端末の管理情報と端末のサービス記録とを恒久的に記憶するデータベースである。
【０００４】
図１は、１つの物理ＭＳＣにカバーされた３つのサブネットについてのネットワーク構造を示している。図１では、前記ＭＳＣ/ＶＬＲが位置登録エリア１と位置登録エリア２と位置登録エリア３とをカバーしている。さらに位置登録エリア１は、２つの位置ゾーンＬＡＩ１１およびＬＡＩ１２を有している。位置登録エリア２は、１つの位置ゾーンＬＡＩ２を有している。位置登録エリア３は、１つの位置ゾーンＬＡＩ３を有している。１つの物理および論理ＭＳＣ/ＶＬＲと１つのＨＬＲとを有するネットワーク全体が見られ、それは、そのネットワーク内の全ての端末を制御するとともに、請求書と通信統計値とを生成する。発呼者と被呼者間の距離測定についての従来の方法は、ＭＳＣ/ＶＬＲ番号を使用して実施される。それらは１つの論理ＭＳＣ/ＶＬＲであるので、大きいローカルエリアネットワーク全体で同一のＭＳＣ番号を使用する。別個の小さいローカルエリアネットワークで通信している端末の請求書および通信統計値は、１つのローカルエリアネットワーク内で通信している端末のものと同一である。
【発明の開示】
【発明が解決しようとする課題】
【０００５】
ＭＳＣ/ＶＬＲ番号にしたがってサブネットの現在所属端末を判断することが困難であるという問題が生じるので、物理ＭＳＣ内の距離に基づく端末への正確な請求は困難である。例えば、図１において、位置登録エリア２内の端末による位置登録エリア３内の端末への呼は、長距離通話であるが、それらは１つのＭＳＣ番号であるので、異なる場所のエリア間で通信が生じたことを検出するのは不可能である。これは、不正確な請求および通信統計値を招くとともに、長距離通話が位置登録エリア２から位置登録エリア３にされたことが検出できない。
【０００６】
さらに、同一のＭＳＣ番号と同一のＶＬＲ番号とが１つの物理ＭＳＣ内で使用されるので、ＭＳＣ番号またはＶＬＲ番号を設定することによって、例えばローミング制御などのいくつかのサービスを実施することが困難である。例えば、それらが１つのＭＳＣ/ＶＬＲ番号であるので、ＶＬＲリストによって、他の位置登録エリアに移動せずに位置登録エリア２内で通信する位置登録エリア２内の端末を確認することが不可能である。
【０００７】
上記に鑑み、本発明は、１つの物理ＭＳＣでカバーされた別個のサブネット内に配置された端末を差別化するために、１つの物理モバイルスイッチングセンタ（ＭＳＣ）でカバーされた複数のサブネット間の通信を実現するための方法を提供する。
【課題を解決するための手段】
【０００８】
本発明は、１つの物理ＭＳＣでカバーされた複数のサブネット間の通信を実現するための方法を提供するものであって、
複数の論理ＭＳＣすなわち複数の仮想ＭＳＣに１つの物理ＭＳＣを配置するとともに、各仮想ＭＳＣに仮想ＭＳＣ番号を割り当るとともに、仮想ＭＳＣでカバーされたサブネットと仮想ＭＳＣの仮想ＭＳＣ番号との間の対応関係をそれぞれ設定するステップと、
複数のサブネット間で通信を実行するために通信中に、仮想ＭＳＣ番号と共に端末の位置情報を送信するステップとを有している。
【０００９】
好ましくは、前記仮想ＭＳＣ番号と共に端末の位置情報を送信する前記ステップの通信手順は、
端末が移動した後に、前記移動端末にローミング番号を割り当てるステップと、
ホーム・ロケーション・レジスタ（ＨＬＲ）が現在所属端末の前記仮想ＭＳＣに提供ローミング番号要求を送信するステップであって、前記要求の中に仮想ＭＳＣ番号も含めて送信するステップと、
前記現在所属端末のＭＳＣが、前記要求を受信した後に、前記仮想ＭＳＣ番号にしたがって前記端末にローミング番号を割り当てるとともに、提供ローミング番号応答を前記ＨＬＲに送信するステップとを有する。
【００１０】
好ましくは、前記仮想ＭＳＣ番号と共に端末の位置情報を送信する前記ステップの通信手順は、
ハンドオーバ中にハンドオーバ番号を前記端末に割り当てるステップと、
前記端末の初期ＭＳＣが準備ハンドオーバ要求を宛先仮想ＭＳＣに送信するステップと、
前記宛先仮想ＭＳＣが前記宛先セルの情報にしたがって対応する基地局制御装置（ＢＳＣ）にハンドオーバ要求を送信するステップと、
前記ＢＳＣがハンドオーバ応答を前記宛先仮想ＭＳＣに送信するステップと、
前記宛先仮想ＭＳＣが、前記宛先仮想ＭＳＣの仮想ＭＳＣ番号を取得するとともに、前記宛先仮想ＭＳＣの仮想ＭＳＣ番号を取得することで電話局番としてハンドオーバ番号を割り当てるとともに、準備ハンドオーバ応答を前記初期ＭＳＣに送信するステップとを有し、
前記準備ハンドオーバ要求は、前記ハンドオーバした端末の前記宛先仮想ＭＳＣの情報と宛先セルの情報とを伴うものである。
【００１１】
好ましくは、前記移動端末の位置更新手順において、前記仮想ＭＳＣ番号と共に端末の位置情報を送信する前記ステップの通信手順は、
前記端末が位置更新要求を現在訪問仮想ＭＳＣに送信するステップと、
前記端末によって現在訪問されている前記仮想ＭＳＣが、仮想ＭＳＣ番号を位置更新要求に一緒にして、該位置更新要求を前記端末のＨＬＲに送信するステップと、
前記端末のＨＬＲが、前記端末に訪問された前記初期仮想ＭＳＣに位置削除要求を送信するステップと、
前記端末に訪問された前記初期仮想ＭＳＣが、前記位置削除要求を受信した後に、位置削除応答を前記ＨＬＲに送信するステップと、
前記ＨＬＲが、前記位置削除応答を受信した後に、前記端末によって現在訪問されている前記仮想ＭＳＣに、端末データ挿入要求を送信するステップと、
前記端末によって現在訪問されている前記仮想ＭＳＣが、前記端末データ挿入要求を受信した後に、前記端末データを挿入するとともに、端末データ挿入応答を前記ＨＬＲに送信するステップと、
前記ＨＬＲが、前記端末によって現在訪問されている前記仮想ＭＳＣに、位置更新応答を送信するステップと、
前記端末によって現在訪問されている前記仮想ＭＳＣが位置更新応答を前記端末に送信するステップとをさらに有する。
【００１２】
好ましくは、前記端末がインテリジェント・サービスにおいて発呼者であるとき、前記仮想ＭＳＣ番号と共に端末の位置情報を送信する前記ステップの通信手順は、
前記発呼者が呼を開始するとともに、サービス交換ポイント（ＳＳＰ）が前記端末によって現在訪問されている前記仮想ＭＳＣの番号をサービス制御ポイント（ＳＣＰ）に報告するステップを有する。
【００１３】
好ましくは、前記端末がインテリジェント・サービスにおいて被呼者であるとき、前記仮想ＭＳＣ番号と共に端末の位置情報を送信する前記ステップの通信手順は、
前記端末のホーム仮想ＭＳＣがルーティング情報要求を前記ＨＬＲに送信するステップと、
前記ＨＬＲが、前記端末によって現在訪問されている前記仮想ＭＳＣの番号を取得するとともに、前記端末によって現在訪問されている前記仮想ＭＳＣの番号と一緒に、ルーティング情報応答を前記端末に送信するステップと、
前記端末の前記ホーム仮想ＭＳＣが前記被呼者の前記仮想ＭＳＣの番号を前記ＳＣＰに報告するステップとを有する。
【００１４】
好ましくは、複数の論理仮想ＭＳＣに１つの物理ＭＳＣを配置するとともに、仮想ＭＳＣでカバーされた位置登録エリアと各仮想ＭＳＣの仮想ＭＳＣ番号との間の対応関係を設定する前記ステップは、
１つの物理訪問ロケーション・レジスタ（ＶＬＲ）を複数の仮想ＶＬＲに配置するとともに、仮想ＶＬＲ番号を各仮想ＶＬＲに割り当てるステップと、
システムにおける前記仮想ＭＳＣ番号と仮想ＶＬＲ番号との間の対応関係を設定するステップとを有し、
前記仮想ＭＳＣ番号と共に端末の位置情報を送信する前記ステップは、通信中に、前記仮想ＶＬＲ番号にしたがって前記端末の位置情報を送信するステップをさらに有する。
【００１５】
好ましくは、前記端末が前記インテリジェント・サービスにおいて被呼者であるとき、前記仮想ＭＳＣ番号と共に端末の位置情報を送信する前記ステップは、
前記端末のホーム仮想ＭＳＣ/仮想ＶＬＲがルーティング情報要求を前記ＨＬＲに送信するステップと、
前記ＨＬＲが、前記端末によって現在訪問されている前記仮想ＭＳＣの番号を取得するとともに、前記端末によって現在訪問されている前記仮想ＭＳＣの番号と前記仮想ＶＬＲ番号とをルーティング情報応答に一緒にして、該ルーティング情報応答を前記端末に送信するステップと、
前記端末のホーム仮想ＭＳＣ/ＶＬＲが前記被呼者の前記仮想ＭＳＣと前記仮想ＶＬＲ番号とをサービス制御ポイント（ＳＣＰ）に報告するステップとを有する。
【００１６】
前記移動端末の位置更新手順の間、前記仮想ＭＳＣ番号と共に前記端末の位置情報を送信する前記ステップは、
前記端末が位置更新要求を前記現在訪問仮想ＭＳＣ/ＶＬＲに送信するステップと、
前記端末によって現在訪問されている前記ＭＳＣ/ＶＬＲが、前記仮想ＭＳＣ番号と前記仮想ＶＬＲ番号とを前記位置更新要求に一緒にして、該位置更新要求を前記端末のＨＬＲに送信するステップと、
前記端末のＨＬＲが、前記端末に訪問された前記初期仮想ＭＳＣ/ＶＬＲに位置削除要求を送信するステップと、
前記端末に訪問された前記初期仮想ＭＳＣ/ＶＬＲが、前記位置削除要求を受信した後に、位置削除応答を前記ＨＬＲに送信するステップと、
前記ＨＬＲが、前記位置削除応答を受信した後に、前記端末によって現在訪問されている前記仮想ＭＳＣ/ＶＬＲに、端末データ要求を挿入するステップと、
前記端末によって現在訪問されている前記仮想ＭＳＣ/ＶＬＲが、前記端末データ挿入要求を受信した後に、前記端末データを挿入するとともに、端末データ挿入応答を前記ＨＬＲに送信するステップと、
前記ＨＬＲが、前記端末によって現在訪問されている前記仮想ＭＳＣ/ＶＬＲに、位置更新応答を送信するステップと、
前記端末によって現在訪問されている前記仮想ＭＳＣ/ＶＬＲが位置更新応答を前記端末に送信するステップとを有する。
【００１７】
さらに前記方法は、前記位置更新要求を前記端末のＶＬＲに送信した後に、前記端末のために訪問競合タイマを起動するステップをさらに有するとともに、
前記初期仮想ＭＳＣが前記位置削除要求を受信した後に、前記訪問競合タイマがオーバータイムであるか否か判断し、オーバータイムである場合、前記端末に対応する前記ユーザデータを削除し、次に、前記位置削除応答を前記ＶＬＲに送信する前記ステップを実行し、オーバータイムでない場合、直接、前記位置削除応答を前記ＶＬＲに送信する前記ステップを実行するステップをさらにを有する。
【００１８】
好ましくは、前記端末のＨＬＲに送信される前記位置更新要求は、前記ＨＬＲが前記位置更新要求を受信した後に前記位置更新応答を送信する前記ステップを直接実行する；サービスネットワークエンティティにおけるスーパーチャージサポートを有する請求項４または９に記載の方法。
【００１９】
好ましくは、複数の論理ＭＳＣに１つの物理ＭＳＣを配置するとともに、前記仮想ＭＳＣでカバーされた位置登録エリアと各仮想ＭＳＣの仮想ＭＳＣ番号との間の対応関係を設定する前記ステップは、
前記端末のＶＬＲリストの中で前記端末によって訪問されることを許可された前記エリアに対応する前記ＶＬＲ番号を設定するステップと、
前記仮想ＭＳＣ番号と共に前記端末の位置情報を送信する前記ステップにおいて、前記仮想ＶＬＲ番号にしたがって前記端末の位置情報を送信している間に、前記仮想ＶＬＲ番号が前記端末のＶＬＲリストにないと判断された場合、前記端末のサービスを禁止するステップとをさらに有する。
【発明の効果】
【００２０】
上記手段から分かるように、本発明は、複数の論理ＭＳＣすなわち仮想ＭＳＣに１つの物理ＭＳＣを配置するとともに、それらにＭＳＣ番号を割り当てるとともに、前記仮想ＭＳＣを使用して通信を実行し、通信中において仮想ＭＳＣ番号によって端末の位置情報を送信する。したがって、本発明は、１つの物理ＭＳＣでカバーされた別個のサブネットに位置する端末の差別化を実現するとともに、複数のサブネット間でのローミング、ハンドオーバを実現することができる。本発明は、１つの物理ＭＳＣでカバーされた別個のサブネット間の距離ベースの請求を実現するとともに、サブネットレベルでの呼統計を実現する。さらにまた、本発明は、前記ＭＳＣリストまたはＶＬＲリストを介して、１つの物理ＭＳＣでカバーされたサブネット間のローミング制御を実現する。
【発明を実施するための最良の形態】
【００２１】
本発明の手段および効果をより明瞭にするために、添付図面を参照して本発明を詳細に説明する。
【００２２】
一つの物理ＭＳＣでカバーされた複数のサブネット間の通信を実行するための方法は、主に以下のステップを有して提供される。前記方法は、複数のロジックＭＳＣすなわち複数の仮想ＭＳＣに１つの物理ＭＳＣを配置するステップと、各仮想ＭＳＣに仮想ＭＳＣ番号を割り当てるステップと、仮想ＭＳＣでカバーされた位置登録エリアとその仮想ＭＳＣの仮想ＭＳＣ番号との間の対応関係をそれぞれ設定するステップと、複数のサブネット間で通信を実行するために通信中に、仮想ＭＳＣ番号と共に端末の位置情報を送信するステップとを有する。さらに、前記方法は、複数のロジックおよび仮想ＶＬＲの中に１つの物理ＶＬＲを配置するステップと、各ロジックおよび仮想ＶＬＲに仮想ＶＬＲ番号を割り当てるステップと、各仮想ＭＳＣが１つの仮想ＶＬＲに対応するように、システムにおける前記仮想ＭＳＣ番号と仮想ＶＬＲ番号との間の関係を設定するステップとを有する。
【００２３】
実際の実施では、１つの位置登録エリアが１つの仮想ＭＳＣに対応できるが、１つの仮想ＭＳＣが複数の位置登録エリアに対応することもでき、その特定関係が様々な状況に応じて決定されることとしてもよい。仮想ＭＳＣと仮想ＶＬＲ間の関係は、１つの仮想ＭＳＣが少なくとも１つの仮想ＶＬＲに対応するとともに、１つのＶＬＲが複数のＭＳＣに対応できる。
【００２４】
本発明の第１実施形態は、例えば移動グローバルシステム（Global System of Mobile :GSM）、広帯域符号分割多元接続(WCDMA)のようなＶＬＲ番号を持つ通信システムに適用される。図２に示すように、本実施形態では、１つの物理ＭＳＣが３つの仮想ＭＳＣすなわちＭＳＣ１，ＭＳＣ２，ＭＳＣ３に配置されるとともに、１つのＶＬＲが３つの仮想ＶＬＲに配置され、それらの番号はそれぞれＶＬＲ１，ＶＬＲ２，ＶＬＲ３である。前記仮想ＭＳＣ番号と仮想ＶＬＲ番号と位置登録エリアとの間の関係は、以下の通り設定される。ＭＳＣ１はＶＬＲ１に対応しており、ＭＳＣ２はＶＬＲ２に対応しており、ＭＳＣ３はＶＬＲ３に対応しており、ＭＳＣ１/ＶＬＲ１は位置登録エリアＬＡＩ１１およびＬＡＩ１２に対応しており、ＭＳＣ２/ＶＬＲ２は位置登録エリアＬＡＩ２に対応しており、ＭＳＣ３/ＶＬＲ３は位置登録エリアＬＡＩ３に対応している。
【００２５】
複数の仮想ＭＳＣと複数の仮想ＶＬＲとを配置する前記ステップの後に、それに関する通信プロセスは、位置更新、ローミング番号の割り当て、ハンドオーバ番号の割り当てなどを有する。前記通信プロセスは、以下に詳細に示される。
【００２６】
前記端末の位置更新は、実施形態として、ＭＳＣ１/ＶＬＲ１/ＬＡＩ１１からＭＳＣ２/ＶＬＲ２/ＬＡＩ２へ移動している端末を取り上げて説明する。図３に示すように、端末がＭＳＣ２/ＶＬＲ２/ＬＡＩ２へ移動した後、位置更新手続きは以下の通りである。
【００２７】
ステップ３０１、端末は、現在訪問ＭＳＣ２/ＶＬＲ２に、初期位置登録エリアおよび現在位置登録エリアの情報を有する位置更新要求を送信する。
【００２８】
ステップ３０２、現在訪問ＭＳＣ２/ＶＬＲ２は、前記端末のＨＬＲに位置更新要求を送信するとともに、前記端末に対して訪問競合タイマを起動させる。
【００２９】
このステップにおいて、ＭＳＣ２/ＶＬＲ２は、初期位置登録エリアがＬＡＩ１１であり、現在位置登録エリアがＬＡＩ２であると判断し、その結果、その位置の間の関係にそれぞれ基づいて、ＬＡＩ１１およびＬＡＩ２がＭＳＣ１/ＶＬＲ１およびＭＳＣ２/ＶＬＲ２に対応すると判断する。ＭＳＣ２/ＶＬＲ２は、端末位置をＭＳＣ/ＶＬＲの変動ＨＬＲに通知するために、ＭＳＣ２番号およびＶＬＲ２番号とともに、位置更新要求を送信する。
【００３０】
ステップ３０３、前記ＨＬＲは、ＭＳＣ２/ＶＬＲ２から位置更新要求を受信した後に、位置削除要求をＭＳＣ１/ＶＬＲ１に送信し、前記端末に対応するユーザデータを削除するようＭＳＣ１/ＶＬＲ１に要求する。
【００３１】
ステップ３０４、ＭＳＣ１/ＶＬＲ１は、前記位置削除要求を受信した後に、訪問競合タイマがオーバータイムであるか否か判断し、そのタイマがオーバータイムである場合、ステップ３０５を実行し、そのタイマがオーバータイムでない場合、ステップ３０６を実行する。ＭＳＣ１/ＶＬＲ１およびＭＳＣ２/ＶＬＲ２は同一の物理ＭＳＣ/ＶＬＲに所属するので、ステップ３０２で起動された前記タイマは、前記物理ＭＳＣ/ＶＬＲの中のタイマであるとともに、このステップにおける前記訪問競合タイマである。
【００３２】
ステップ３０５、前記ＭＳＣ１/ＶＬＲ１は、前記端末に対応する前記ユーザデータを削除するとともに、位置削除応答を前記ＨＬＲに送信し、その後ステップ３０７を実行する。
【００３３】
ステップ３０６、前記ＭＳＣ１/ＶＬＲ１が位置削除応答を前記ＨＬＲに送信し、その後ステップ３０７を実行する。ここで、前記ＭＳＣ１/ＶＬＲ１は、それらを削除する代わりに前記端末のユーザデータを保持する。
【００３４】
ステップ３０７、前記ＨＬＲは、前記位置削除応答を受信した後に、ユーザデータ挿入要求を前記ＭＳＣ２/ＶＬＲ２に送信する。
【００３５】
ステップ３０８、前記ＭＳＣ２/ＶＬＲ２は、前記ユーザデータ挿入要求を受信した後に、前記端末に対応する前記ユーザデータを挿入するとともに、ユーザデータ挿入応答を前記ＨＬＲに送信する。ここで、前記ユーザデータはステップ３０６で削除されないが、前記ＭＳＣ２/ＶＬＲ２は、前記ユーザデータ挿入要求を受信すると、前記ＭＳＣ１/ＶＬＲ１によって削除されていない前記初期ユーザデータに新ユーザデータを上書きする。
【００３６】
ステップ３０９、前記ＨＬＲは、位置更新応答をＭＳＣ２/ＶＬＲ２に送信する。
【００３７】
ステップ３１０、前記ＭＳＣ２/ＶＬＲ２は、前記位置更新応答を前記端末に送信する。
【００３８】
この手順では、「スーパーチャージ」技術がネットワークにおいて使用され、ステップ３０２においてＭＳＣ２/ＶＬＲ２によってＨＬＲに送信された前記位置更新要求は、サービスネットワークエンティティにおける「スーパーチャージサポート」の情報要素を有している。ＨＬＲは、前記要求を受信した後、前記位置削除手順を開始しない。すなわちステップ３０８のためにステップ３０３を実行せず、直接ステップ３０９を実行する。すなわち位置更新応答を直接ＭＳＣ２/ＶＬＲ２に送信する。
【００３９】
上記手順は、前記端末が宛先位置登録エリアに移動した後の位置更新手順である。前記端末が宛先位置登録エリアに移動した後にローミング番号を割り当てる手順は、以下に示される。
【００４０】
端末がコールされたとき、その呼は、まず第１に、前記端末のゲートウェイ・モバイル・スイッチング・センタ（ＧＭＳＣ）に中継され、次に、前記ＧＭＳＣが被呼者番号に基づいて前記端末のＨＬＲにルーティング要求を送信する。ＨＬＲは、ルーティング要求を受信した後に前記ローミング番号を割り当てる必要がある。前記ローミング番号割り当て手順は、実施形態としてＭＳＣ１/ＶＬＲ１からＭＳＣ２/ＶＬＲ２に移動した例を挙げて、以下に示される。図４に示すように、前記手順は以下のステップを有する。
【００４１】
ステップ４０１、前記ＨＬＲは、提供ローミング番号要求をＭＳＣ２/ＶＬＲ２に送信する。
【００４２】
前記提供ローミング番号要求のメッセージは、最新ＭＳＣ番号、すなわち前記被呼端末によってＨＬＲに記憶されたＭＳＣ２番号を有し、そこで、物理ＶＬＲは、ローミング番号を割り当てるための電話局番としてＭＳＣ２番号を取得することができる。
【００４３】
ステップ４０２、前記ＭＳＣ２/ＶＬＲ２が提供ローミング番号要求を受信した後に、前記物理ＶＬＲは、前記ＭＳＣ２番号に基づいてローミング番号を前記端末に割り当てる。
【００４４】
ステップ４０３、前記ＭＳＣ２/ＶＬＲ２は、提供ローミング番号応答を前記ＨＬＲに送信する。
【００４５】
ステップ４０４、前記ＨＬＲは、初期アドレスメッセージをＭＳＣ２/ＶＬＲ２に送信する。
【００４６】
ステップ４０５、前記ＭＳＣ２/ＶＬＲ２は、前記被呼端末への呼出を開始する。
【００４７】
前記被呼端末のローミング番号は、ローミング番号を割り当てた後に被呼端末が位置するところの前記ロジックＭＳＣを具現するので、課金(billing)センタは、まったく改変せずに前記被呼端末の位置を検出できる。
【００４８】
さらに、課金ハンドオーバを実行するために、本発明の実施形態は、物理ＭＳＣと仮想ＭＳＣと間のハンドオーバの間、または複数の仮想ＭＳＣ間のハンドオーバの間、端末にハンドオーバ番号を割り当てる。例えば、呼の間、隣接ＭＳＣから仮想ＭＳＣ３への端末ハンドオーバでは、宛先ＭＳＣ番号すなわちＭＳＣ３番号を準備(prepare)ハンドオーバメッセージに加えるので、前記ＶＬＲは、前記ＭＳＣ３番号に基づいて、ハンドオーバ番号を前記端末に割り当てることができる。その具体的なステップは、図５に示されている。
【００４９】
ステップ５０１、前記隣接ＭＳＣは、前記宛先仮想ＭＳＣすなわちＭＳＣ３の情報と宛先セルの情報とを有する準備ハンドオーバ要求を、ＭＳＣ３/ＶＬＲ３位置の前記物理ＭＳＣ/ＶＬＲに送信する。
【００５０】
ステップ５０２、前記物理ＭＳＣ/ＶＬＲは、前記準備ハンドオーバ要求を受信した後に、前記ハンドオーバ宛先セルに対応する基地局制御装置（ＢＳＣ）にハンドオーバ要求を送信する。
【００５１】
ステップ５０３、前記ＢＳＣは、ハンドオーバ応答を前記物理ＭＳＣ/ＶＬＲに送信する。
【００５２】
ステップ５０４、前記ＭＳＣ/ＶＬＲは、前記ハンドオーバ宛先セルの情報にしたがって対応位置登録エリアを決定し、その後、位置登録エリアにしたがって、前記仮想ＭＳＣ番号すなわちＭＳＣ３番号に索引をつけるとともに、割り当てられたハンドオーバ番号の電話局番として仮想ＭＳＣ番号を取得する。
【００５３】
ステップ５０５、前記ＭＳＣ３/ＶＬＲ３は、準備ハンドオーバ応答を前記隣接ＭＳＣに送信する。
【００５４】
ステップ５０６、前記隣接ＭＳＣは、初期アドレスメッセージを前記ＭＳＣ３/ＶＬＲ３に送信する。
【００５５】
上記は、前記ハンドオーバ番号を割り当てる手順である。
【００５６】
前記インテリジェント・サービスにおいて、前記端末がローミング位置で呼を開始するときであって、前記端末が発呼者であるとき、前記ＳＳＰは現在訪問仮想ＭＳＣ番号を前記ＳＣＰに報告する。前記ＳＣＰは、前記ＳＳＰよって報告された仮想ＭＳＣ番号と、前記呼び出し端末のホームＭＳＣ番号とにしたがって呼び出し端末のローミング状態を正確に取得できる。
【００５７】
前記端末が被呼者であるとともに、前記被呼者がトリガ(trigger)であるとき、前記端末が移動するか否かの問題が関係する。前記端末は前記ＭＳＣ番号およびＶＬＲ番号にしたがってローミングを決定されるので、前記ＭＳＣ/ＶＬＲがルーティング要求をＨＬＲに送信した後に、前記ＨＬＲは、位置更新の間に前記端末の仮想ＭＳＣ番号および仮想ＶＬＲ番号を返信する。このようにして、前記ＳＣＰは、前記被呼者のローミング状態を取得することができるとともに、その状態に基づく請求書を送信することができる。図６に示すように、その具体的なステップは以下の通りである。
【００５８】
ステップ６０１、前記被呼端末の前記ホーム仮想ＭＳＣは、被呼者番号すなわち前記被呼端末番号を有する取得ルーティング情報要求を前記ＨＬＲに送信する。
【００５９】
ステップ６０２、前記ＨＬＲは、前記被呼者番号にしたがって前記端末の前記訪問仮想ＭＳＣ番号および仮想ＶＬＲ番号を取得するとともに、前記端末の前記訪問仮想ＭＳＣ番号および仮想ＶＬＲ番号を有するローミング情報応答を、前記端末の前記ホーム仮想ＭＳＣに返信する。
【００６０】
ステップ６０３、前記被呼端末のホーム仮想ＭＳＣは、前記被呼端末の前記訪問仮想ＭＳＣ番号および仮想ＶＬＲ番号を前記ＳＣＰに報告する。
【００６１】
したがって、前記ＳＣＰは、前記ホーム仮想ＭＳＣによって報告された前記仮想ＭＳＣ番号に基づいて前記被呼端末に請求書を送信することができる。
【００６２】
呼統計については、複数の仮想ＭＳＣ/ＶＬＲ番号が大規模ネットワークで使用されるので、前記呼統計は、前記仮想ＭＳＣ/ＶＬＲ番号によるものとすることができるとともに、前記ＭＳＣ/ＶＬＲ番号によって差別化することができ、さらに前記呼統計とローミング統計とハンドオーバ統計とをそれぞれ実施することができる。
【００６３】
また、本実施形態では、前記ローミング端末の制御方法が包含されている。前記制御は、前記端末のＶＬＲリストで実施することができる。例えば、ローカル・サービスは、その都市（ＭＳＣ１/ＶＬＲ１）の都市区域で提供され、地方地域（ＭＳＣ２/ＶＬＲ２またはＭＳＣ３/ＶＬＲ３）で前記ローカル・サービスを利用する端末を確認するために必要である。これは以下のステップで実行することができる。前記端末が地方地域に移動した後に位置更新要求を開始するとき、前記位置更新手順で示したように、前記ＨＬＲは前記地方地域の仮想ＶＬＲ番号を知得し、前記ＨＬＲは前記端末の仮想ＶＬＲ番号とＶＬＲリストとを比較し、仮想ＶＬＲ番号が契約サービスに含まれないか判断し、それより、このエリア内の前記端末のサービスが制御される。
【００６４】
本発明の第２実施形態は、ＶＬＲ番号のない通信システムである。前記ＶＬＲ番号は位置更新およびローミング制御の手順にのみ関係するので、本実施形態の大部分が第１実施形態と同一であり、位置更新およびローミング制御のみが相違し、その相違点を以下に示す。
【００６５】
前記位置更新の手順では、本実施形態と第１実施形態との相違点は、第１実施形態のステップ３０２において、位置更新要求が前記仮想ＭＳＣ２番号を有する前記ＨＬＲにＭＳＣ２/ＶＬＲ２によって送信されることである。
【００６６】
ローミング制御の手順では、オペレータは前記ＭＳＣリストを介した端末のサービスを制限できる。例えば、ローカル・サービスは、その都市（ＭＳＣ１/ＶＬＲ１）の都市区域で提供され、地方地域（ＭＳＣ２/ＶＬＲ２またはＭＳＣ３/ＶＬＲ３）で前記ローカル・サービスを利用する端末を確認するために必要である。これは以下のステップで実行することができる。前記端末が地方地域に移動した後に位置更新要求を開始するとき、前記位置更新手順で示したように、前記ＨＬＲは前記地方地域の仮想ＶＬＲ番号を取得し、前記ＨＬＲは前記端末の仮想ＶＬＲ番号とＶＬＲリストとを比較し、仮想ＶＬＲ番号が契約サービスに含まれないか判断し、これより、このエリア内の前記端末のサービスが制限される。
【００６７】
実用的適用では、本発明の方法は、具体的なシナリオの要求を満たすために適当に改良することができる。したがって、上記は、本発明の好適実施形態であるだけであるとともに、本発明の保護適用範囲を限定するのに使用されるものではないことが理解される。
【図面の簡単な説明】
【００６８】
【図１】従来技術の構成図である。
【図２】本発明の実施形態を示す構成図である。
【図３】本発明の実施形態に係る位置更新の処理手順を示す信号通信フローチャートである。
【図４】ローミング番号の割当処理手順を示す信号通信フローチャートである。
【図５】ハンドオーバ番号の割当処理手順を示す信号通信フローチャートである。
【図６】インテリジェントサービスにおいて端末が被呼者であるときの信号通信フローチャートである。
【符号の説明】
【００６９】
ＢＳＣ  基地局制御装置
ＨＬＲ  ホーム・ロケーション・レジスタ
ＬＡＩ  位置ゾーン
ＭＳＣ  モバイルスイッチングセンタ
ＲＮＣ  無線網制御装置
ＶＬＲ  訪問ロケーション・レジスタ
【図１】
2008503118.tif 000003
【図２】
2008503118.tif 000004
【図３】
2008503118.tif 000005
【図４】
2008503118.tif 000006
【図５】
2008503118.tif 000007
【図６】
2008503118.tif 000008
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
１つの物理モバイルスイッチングセンタ（ＭＳＣ）でカバーされた複数のサブネット間の通信を実現するための方法であって、
複数の仮想ＭＳＣに１つの物理ＭＳＣを写像(mapping)するとともに、各仮想ＭＳＣに仮想ＭＳＣ番号を割り当るとともに、前記仮想ＭＳＣでカバーされたサブネットと各仮想ＭＳＣの前記仮想ＭＳＣ番号との間の対応関係を設定するステップと、
複数のサブネット間で通信を実行するために通信中に、前記仮想ＭＳＣ番号と共に端末の位置情報を送信するステップとを有することを特徴とする方法。
【請求項２】
前記仮想ＭＳＣ番号と共に端末の位置情報を送信する前記ステップの通信手順は、
端末が移動した後に、前記移動端末にローミング番号を割り当てるステップと、
ホーム・ロケーション・レジスタ（ＨＬＲ）が現在所属端末の前記仮想ＭＳＣに提供ローミング番号要求を送信するステップであって、前記要求の中に仮想ＭＳＣ番号も含めて送信するステップと、
前記現在所属端末のＭＳＣが、前記要求を受信した後に、前記仮想ＭＳＣ番号にしたがって前記端末にローミング番号を割り当てるとともに、提供ローミング番号応答を前記ＨＬＲに送信するステップとを有する請求項１に記載の方法。
【請求項３】
前記仮想ＭＳＣ番号と共に端末の位置情報を送信する前記ステップの通信手順は、
ハンドオーバ中にハンドオーバ番号を前記端末に割り当てるステップと、
前記端末の初期ＭＳＣが準備ハンドオーバ要求を宛先仮想ＭＳＣに送信するステップと、
前記宛先仮想ＭＳＣが前記宛先セルの情報にしたがって対応する基地局制御装置（ＢＳＣ）にハンドオーバ要求を送信するステップと、
前記ＢＳＣがハンドオーバ応答を前記宛先仮想ＭＳＣに送信するステップと、
前記宛先仮想ＭＳＣが、前記宛先仮想ＭＳＣの仮想ＭＳＣ番号を取得するとともに、前記宛先仮想ＭＳＣの仮想ＭＳＣ番号を取得することで電話局番としてハンドオーバ番号を割り当てるとともに、準備ハンドオーバ応答を前記初期ＭＳＣに送信するステップとを有し、
前記準備ハンドオーバ要求は、前記ハンドオーバした端末の前記宛先仮想ＭＳＣの情報と宛先セルの情報とを伴うものである請求項１に記載の方法。
【請求項４】
前記移動端末の位置更新手順中において、前記仮想ＭＳＣ番号と共に端末の位置情報を送信する前記ステップの通信手順は、
前記端末が位置更新要求を現在訪問仮想ＭＳＣに送信するステップと、
前記端末によって現在訪問されている前記仮想ＭＳＣが、仮想ＭＳＣ番号を位置更新要求に一緒にして、該位置更新要求を前記端末のＨＬＲに送信するステップと、
前記端末のＨＬＲが、前記端末に訪問された前記初期仮想ＭＳＣに位置削除要求を送信するステップと、
前記端末に訪問された前記初期仮想ＭＳＣが、前記位置削除要求を受信した後に、位置削除応答を前記ＨＬＲに送信するステップと、
前記ＨＬＲが、前記位置削除応答を受信した後に、前記端末によって現在訪問されている前記仮想ＭＳＣに、端末データ挿入要求を送信するステップと、
前記端末によって現在訪問されている前記仮想ＭＳＣが、前記端末データ挿入要求を受信した後に、前記端末データを挿入するとともに、端末データ挿入応答を前記ＨＬＲに送信するステップと、
前記ＨＬＲが、前記端末によって現在訪問されている前記仮想ＭＳＣに、位置更新応答を送信するステップと、
前記端末によって現在訪問されている前記仮想ＭＳＣが位置更新応答を前記端末に送信するステップとをさらに有する請求項１に記載の方法。
【請求項５】
前記端末がインテリジェント・サービスにおいて発呼者であるとき、前記仮想ＭＳＣ番号と共に端末の位置情報を送信する前記ステップの通信手順は、
前記発呼者が呼を開始するとともに、サービス交換ポイント（ＳＳＰ）が前記端末によって現在訪問されている前記仮想ＭＳＣの番号をサービス制御ポイント（ＳＣＰ）に報告するステップを有する請求項１に記載の方法。
【請求項６】
前記端末がインテリジェント・サービスにおいて被呼者であるとき、前記仮想ＭＳＣ番号と共に端末の位置情報を送信する前記ステップの通信手順は、
前記端末のホーム仮想ＭＳＣがルーティング情報要求を前記ＨＬＲに送信するステップと、
前記ＨＬＲが、前記端末によって現在訪問されている前記仮想ＭＳＣの番号を取得するとともに、前記端末によって現在訪問されている前記仮想ＭＳＣの番号と一緒に、ルーティング情報応答を前記端末に送信するステップと、
前記端末の前記ホーム仮想ＭＳＣが前記被呼者の前記仮想ＭＳＣの番号を前記ＳＣＰに報告するステップとを有する請求項１に記載の方法。
【請求項７】
複数の論理仮想ＭＳＣに１つの物理ＭＳＣを写像するとともに、仮想ＭＳＣでカバーされた位置登録エリアと各仮想ＭＳＣの仮想ＭＳＣ番号との間の対応関係を設定する前記ステップは、
１つの物理訪問(Visited)ロケーション・レジスタ（ＶＬＲ）を複数の仮想ＶＬＲに写像するとともに、仮想ＶＬＲ番号を各仮想ＶＬＲに割り当てるとともに、各仮想ＭＳＣが一つの仮想ＶＬＲに対応するように、システムにおける前記仮想ＭＳＣ番号と仮想ＶＬＲ番号との間の対応関係を設定するステップを有し、
前記仮想ＭＳＣ番号と共に端末の位置情報を送信する前記ステップは、通信中に、前記仮想ＶＬＲ番号にしたがって前記端末の位置情報を送信するステップをさらに有する請求項１に記載の方法。
【請求項８】
前記端末が前記インテリジェント・サービスにおいて被呼者であるとき、前記仮想ＭＳＣ番号と共に端末の位置情報を送信する前記ステップは、
前記端末のホーム仮想ＭＳＣ/仮想ＶＬＲがルーティング情報要求を前記ＨＬＲに送信するステップと、
前記ＨＬＲが、前記端末によって現在訪問されている前記仮想ＭＳＣの番号を取得するとともに、前記端末によって現在訪問されている前記仮想ＭＳＣの番号と前記仮想ＶＬＲ番号とをルーティング情報応答に一緒にして、該ルーティング情報応答を前記端末に送信するステップと、
前記端末のホーム仮想ＭＳＣ/ＶＬＲが前記被呼者の前記仮想ＭＳＣと前記仮想ＶＬＲ番号とをサービス制御ポイント（ＳＣＰ）に報告するステップとを有する請求項７に記載の方法。
【請求項９】
前記移動端末の位置更新手順の間、前記仮想ＭＳＣ番号と共に前記端末の位置情報を送信する前記ステップは、
前記端末が位置更新要求を前記現在訪問仮想ＭＳＣ/ＶＬＲに送信するステップと、
前記端末によって現在訪問されている前記ＭＳＣ/ＶＬＲが、前記仮想ＭＳＣ番号と前記仮想ＶＬＲ番号とを前記位置更新要求に一緒にして、該位置更新要求を前記端末のＨＬＲに送信するステップと、
前記端末のＨＬＲが、前記端末に訪問された前記初期仮想ＭＳＣ/ＶＬＲに位置削除要求を送信するステップと、
前記端末に訪問された前記初期仮想ＭＳＣ/ＶＬＲが、前記位置削除要求を受信した後に、位置削除応答を前記ＨＬＲに送信するステップと、
前記ＨＬＲが、前記位置削除応答を受信した後に、前記端末によって現在訪問されている前記仮想ＭＳＣ/ＶＬＲに、端末データ要求を挿入するステップと、
前記端末によって現在訪問されている前記仮想ＭＳＣ/ＶＬＲが、前記端末データ挿入要求を受信した後に、前記端末データを挿入するとともに、端末データ挿入応答を前記ＨＬＲに送信するステップと、
前記ＨＬＲが、前記端末によって現在訪問されている前記仮想ＭＳＣ/ＶＬＲに、位置更新応答を送信するステップと、
前記端末によって現在訪問されている前記仮想ＭＳＣ/ＶＬＲが位置更新応答を前記端末に送信するステップとを有する請求項７に記載の方法。
【請求項１０】
前記位置更新要求を前記端末のＶＬＲに送信した後に、前記端末のために訪問競合タイマを起動するステップをさらに有するとともに、
前記初期仮想ＭＳＣが前記位置削除要求を受信した後に、前記訪問競合タイマがオーバータイムであるか否か判断し、オーバータイムである場合、前記端末に対応する前記ユーザデータを削除し、次に、前記位置削除応答を前記ＶＬＲに送信する前記ステップを実行し、オーバータイムでない場合、直接、前記位置削除応答を前記ＶＬＲに送信する前記ステップを実行するステップをさらに有する請求項４または９に記載の方法。
【請求項１１】
前記端末のＨＬＲに送信される前記位置更新要求は、
前記ＨＬＲが前記位置更新要求を受信した後に前記位置更新応答を送信する前記ステップを直接実行する：サービスネットワークエンティティにおけるスーパーチャージサポートを有する請求項４または９に記載の方法。
【請求項１２】
複数の論理ＭＳＣに１つの物理ＭＳＣを写像するとともに、前記仮想ＭＳＣでカバーされた位置登録エリアと各仮想ＭＳＣの仮想ＭＳＣ番号との間の対応関係を設定する前記ステップは、
前記端末のＶＬＲリストの中で前記端末によって訪問されることを許可された前記エリアに対応する前記ＶＬＲ番号を設定するステップと、
前記仮想ＭＳＣ番号と共に前記端末の位置情報を送信する前記ステップにおいて、前記仮想ＶＬＲ番号にしたがって前記端末の位置情報を送信している間に、前記仮想ＶＬＲ番号が前記端末のＶＬＲリストにないと判断された場合、前記端末のサービスを制限するステップとをさらに有する請求項７に記載の方法。
【請求項１３】
１つの物理モバイルスイッチングセンタ（ＭＳＣ）でカバーされた複数のサブネット間の通信を実行するためのシステムであって、
１つの物理ＭＳＣから写像された複数の仮想ＭＳＣであるとともに、それぞれ、仮想ＭＳＣ番号が組み込まれているとともに、それぞれ、前記仮想ＭＳＣでカバーされたサブネットと仮想ＭＳＣの前記仮想ＭＳＣ番号との間の対応関係とが組み込まれている複数の仮想ＭＳＣを有し、
前記仮想ＭＳＣ番号は、端末の位置情報を伝送するために使用されるものであり、
前記複数の仮想ＭＳＣは、前記仮想ＭＳＣ番号にしたがって複数のサブネット間で通信を実行するものであることを特徴とするシステム。
【請求項１４】
仮想ＭＳＣ番号に対応する仮想ＶＬＲ番号がそれぞれ組み込まれた複数の訪問ロケーション・レジスタ（ＶＬＲ）をさらに有し、
前記仮想ＶＬＲ番号は、端末の位置情報を伝送するために使用されるものである請求項１３に記載のシステム。
【請求項１５】
モバイルスイッチングセンタ（ＭＳＣ）でカバーされた複数のサブネット間の通信を実行するための１つのＭＳＣであって、
前記ＭＳＣから写像された複数の仮想ＭＳＣであるとともに、それぞれ、仮想ＭＳＣ番号が組み込まれているとともに、それぞれ、前記仮想ＭＳＣでカバーされたサブネットと仮想ＭＳＣの前記仮想ＭＳＣ番号との間の対応関係とが組み込まれている複数の仮想ＭＳＣを有し、
前記仮想ＭＳＣ番号は、端末の位置情報を伝送するために使用されるものであり、
前記複数の仮想ＭＳＣは、前記仮想ＭＳＣ番号にしたがって複数のサブネット間で通信を実行するものであることを特徴とするＭＳＣ。
【請求項１６】
仮想ＭＳＣ番号に対応する仮想ＶＬＲ番号がそれぞれ組み込まれた複数の訪問ロケーション・レジスタ（ＶＬＲ）をさらに有し、
前記仮想ＶＬＲ番号は、端末の位置情報を伝送するために使用されるものである請求項１５に記載のＭＳＣ。
【手続補正３】
【補正対象書類名】明細書
【補正対象項目名】０００１
【補正方法】変更
【補正の内容】
【０００１】
本発明は、移動通信技術に関するものであり、特に、１つの物理モバイルスイッチングセンタ（ＭＳＣ）およびＭＳＣでカバーされた複数のサブネット間の通信を実現するための方法およびシステムに関するものである。
【手続補正４】
【補正対象書類名】明細書
【補正対象項目名】０００７
【補正方法】変更
【補正の内容】
【０００７】
上記に鑑み、本発明は、１つの物理ＭＳＣでカバーされた別個のサブネット内に配置された端末を差別化するために、１つの物理モバイルスイッチングセンタ（ＭＳＣ）およびＭＳＣでカバーされた複数のサブネット間の通信を実現するための方法およびシステムを提供する。
【手続補正５】
【補正対象書類名】明細書
【補正対象項目名】００２０
【補正方法】変更
【補正の内容】
【００２０】
１つの物理ＭＳＣでカバーされた複数のサブネット間の通信を実行するためのシステムであって、
１つの物理ＭＳＣから写像された複数の仮想ＭＳＣであるとともに、それぞれ、仮想ＭＳＣ番号が組み込まれているとともに、それぞれ、前記仮想ＭＳＣでカバーされたサブネットと仮想ＭＳＣの前記仮想ＭＳＣ番号との間の対応関係とが組み込まれている複数の仮想ＭＳＣを有し、
前記仮想ＭＳＣ番号は、端末の位置情報を伝送するために使用されるものであり、
前記複数の仮想ＭＳＣは、前記仮想ＭＳＣ番号にしたがって複数のサブネット間で通信を実行するものであることを特徴とするシステム。
前記システムは、
仮想ＭＳＣ番号に対応する仮想ＶＬＲ番号がそれぞれ組み込まれた複数の訪問ロケーション・レジスタ（ＶＬＲ）をさらに有し、
前記仮想ＶＬＲ番号は、端末の位置情報を伝送するために使用されるものである。
ＭＳＣでカバーされた複数のサブネット間の通信を実行するための１つのＭＳＣであって、
前記ＭＳＣから写像された複数の仮想ＭＳＣであるとともに、それぞれ、仮想ＭＳＣ番号が組み込まれているとともに、それぞれ、前記仮想ＭＳＣでカバーされたサブネットと仮想ＭＳＣの前記仮想ＭＳＣ番号との間の対応関係とが組み込まれている複数の仮想ＭＳＣを有し、
前記仮想ＭＳＣ番号は、端末の位置情報を伝送するために使用されるものであり、
前記複数の仮想ＭＳＣは、前記仮想ＭＳＣ番号にしたがって複数のサブネット間で通信を実行するものであることを特徴とするＭＳＣ。
前記ＭＳＣは、
仮想ＭＳＣ番号に対応する仮想ＶＬＲ番号がそれぞれ組み込まれた複数の訪問ロケーション・レジスタ（ＶＬＲ）をさらに有し、
前記仮想ＶＬＲ番号は、端末の位置情報を伝送するために使用されるものである。
上記手段から分かるように、本発明は、複数の論理ＭＳＣすなわち仮想ＭＳＣに１つの物理ＭＳＣを配置するとともに、それらにＭＳＣ番号を割り当てるとともに、前記仮想ＭＳＣを使用して通信を実行し、通信中において仮想ＭＳＣ番号によって端末の位置情報を送信する。したがって、本発明は、１つの物理ＭＳＣでカバーされた別個のサブネットに位置する端末の差別化を実現するとともに、複数のサブネット間でのローミング、ハンドオーバを実現することができる。本発明は、１つの物理ＭＳＣでカバーされた別個のサブネット間の距離ベースの請求を実現するとともに、サブネットレベルでの呼統計を実現する。さらにまた、本発明は、前記ＭＳＣリストまたはＶＬＲリストを介して、１つの物理ＭＳＣでカバーされたサブネット間のローミング制御を実現する。
【国際調査報告】
2008503118.tif 000009
2008503118.tif 000010
2008503118.tif 000011
2008503118.tif 000012